(57)【要約】【課題】保守作業を実施した場合、作業記録の入力を正しく簡単に行うことができ、さらに入力漏れが発生しないようにしたエレベータ作業記録入力システムを提供する。【解決手段】エレベータに接続され前記エレベータの制御信号を受信する遠隔監視装置７に、保守作業時の操作データを収集して監視センタ装置１０に送信する保守作業内容送信部８を設け、監視センタ装置１０に、操作データを記憶する操作データ保存装置１３と、操作データ保存装置１３の操作データを抽出して保守作業を行った保守員によって作業記録を作成するときに使用されることになる作業記録入力装置２０に送信する操作データ出力部１６とを設けた。【選択図】図１
2015178411.tif 000002
【特許請求の範囲】
【請求項１】
エレベータに接続され前記エレベータの制御信号を受信する遠隔監視装置と、前記遠隔監視装置と遠隔的に接続された監視センタ装置とで構成され、前記エレベータの保守作業内容を記録するエレベータ作業記録入力システムにおいて、
前記遠隔監視装置に、保守作業時の操作データを収集して前記監視センタ装置に送信する保守作業内容送信部を設け、前記監視センタ装置に、前記操作データを記憶する操作データ保存装置と、前記操作データ保存装置の前記操作データを抽出して保守作業を行った保守員によって作業記録を作成するときに使用されることになる作業記録入力装置に送信する操作データ出力部とを設けたことを特徴とするエレベータ作業記録入力システム。
【請求項２】
前記監視センタ装置に、前記操作データ出力部からの操作データの送信と共に作業記録の入力を促す作業記録入力要求を送信する入力要求出力部を設けたことを特徴とする請求項１に記載のエレベータ作業記録入力システム。
【請求項３】
前記監視センタ装置に、所定時間を経過しても前記作業記録の送信がないときに、作業記録の入力を促す入力要求出力部を設けたことを特徴とする請求項１に記載のエレベータ作業記録入力システム。
【請求項４】
前記保守作業内容送信部は、前記かご内の保守スイッチの切替操作があったとき操作データの収集を開始するようにしたことを特徴とする請求項１に記載のエレベータ作業記録入力システム。
【請求項５】
前記保守作業内容送信部は、前記操作データを時間要素と共に収集するようにしたことを特徴とする請求項１に記載のエレベータ作業記録入力システム。
【発明の詳細な説明】
【技術分野】
【０００１】
本発明は、エレベータの保守作業後に作業内容を作成するために使用されるエレベータ作業記録入力システムに関する。
【背景技術】
【０００２】
エレベータの保守作業の管理を行うために、保守員が実施する点検や修理作業等の作業記録が作成されている。一般的には、パソコンや携帯端末を使用して入力され、データベース等に記録され、作業内容の履歴管理や客への報告に使用される例が記載されている（特許文献１参照）。
【先行技術文献】
【特許文献】
【０００３】
【特許文献１】特開２００５−２７２０６７号公報
【発明の概要】
【発明が解決しようとする課題】
【０００４】
しかしながら、従来の作業記録作成によれば、作業記録は、保守員が作業現場でその内容を記録するものであったため、作業内容、作業開始時間および作業終了時間等を保守員が作業毎に記録する必要があり、労力がかかっていた。また時間が限られた作業では作業中に作業記録を残す時間的な余裕がなく、その後、作業記録を作成しようとしても内容を思い出すのが難しいことや、軽微な作業においては入力漏れが発生する恐れもあった。
【０００５】
本発明の目的は、保守作業を実施した場合、作業記録の入力を正しく簡単に行うことができ、さらに入力漏れが発生しないようにしたエレベータ作業記録入力システムを提供することにある。
【課題を解決するための手段】
【０００６】
本発明は上記目的を達成するために、エレベータに接続され前記エレベータの制御信号を受信する遠隔監視装置と、前記遠隔監視装置と遠隔的に接続された監視センタ装置とで構成され、エレベータの保守作業内容を記録するエレベータ作業記録入力システムにおいて、前記遠隔監視装置に、保守作業時の操作データを収集して前記監視センタ装置に送信する保守作業内容送信部を設け、監視センタ装置に、操作データを記憶する操作データ保存装置と、前記操作データ保存装置の操作データを抽出して保守作業を行った保守員によって作業記録を作成するときに使用されることになる作業記録入力装置に送信する操作データ出力部とを設けたことを特徴とする。
【０００７】
上述したエレベータ作業記録入力システムによれば、エレベータの保守作業の実施後に作業記録を作成するが、営業所に配置した作業記録入力装置を使用すると共に、遠隔監視装置に記憶させた操作データを表示部などに表示させたりしながら、これを参照して作業記録を作成することができるので、正確に、効率的に作業記録の入力を行うことができる。しかも、従来のように作業した現場で保守員が、作業内容、作業開始時間および作業終了時間等を作業毎に記録する必要がなくなり、集中した保守作業を行うことができるようになる。また時間が限られた作業では、作業中に作業記録を残す時間がなく、作業記録入力システムへの入力時に内容を思い出すのが難しいことや、軽微な作業においては入力漏れが発生することもあったが、これを容易、かつ確実に防止することができる。
【０００８】
また本発明は、上述の構成に加えて、前記監視センタ装置に、前記操作データ出力部からの操作データの送信と共に作業記録の入力を促す作業記録入力要求を送信する入力要求出力部を設けたことを特徴とする。
【０００９】
上記構成によれば、営業所に戻った保守員は作業記録入力装置を見て作業記録の作成を促されるので、作業記録の作成を不必要に遅らすのを防止することができる。
【００１０】
また本発明は、上述の構成に加えて、前記監視センタ装置に、所定時間を経過しても作業記録の送信がないときに、作業記録の入力を促す入力要求催促部を設けたことを特徴とする。
【００１１】
上記構成によれば、営業所に戻った保守員は作業記録入力装置を見て作業記録の作成を促され、途中で作業記録の作成を中断したとしても、入力要求催促部から送信されてくる催促要求によって作業記録の完成を不必要に遅らすのを防止することができる。
【００１２】
さらに本発明は、上述の構成に加えて、保守作業内容送信部は、かご内の保守スイッチの切替操作があったとき操作データの収集を開始するようにしたことを特徴とする。
【００１３】
上記構成によれば、一般的に保守作業時に操作される保守スイッチの操作信号に基づいて操作データを収集するため、簡単かつ確実に必要操作データを得ることができる。
【００１４】
さらに本発明は、上述の構成に加えて、前記保守作業内容送信部は、操作データを時間要素と共に収集するようにしたことを特徴とする。
【００１５】
上記構成によれば、作業記録を作成する保守員は、営業所に配置した作業記録入力装置を使用すると共に、遠隔監視装置に記憶させた操作データおよび時間要素を表示部などに表示させたりしながら、これを参照して作業記録を作成することができ、時間の経過と共に自分が行った作業を容易に思い起こすことができ、正確な作業記録を作成することができるようになる。
【発明の効果】
【００１６】
本発明によるエレベータ作業記録入力システムによれば、エレベータの保守作業の実施後に作業記録を作成するが、営業所に配置した作業記録入力装置を使用すると共に、遠隔監視装置に記憶させた操作データを表示部などに表示させたりしながら、これを参照して作業記録を作成することができるので、正確に、効率的に作業記録の入力を行うことができる。しかも、従来のように作業した現場で保守員が、作業内容、作業開始時間および作業終了時間等を作業毎に記録する必要がなくなり、集中した保守作業を行うことができるようになる。また時間が限られた作業では、作業中に作業記録を残す時間がなく、作業記録入力システムへの入力時に内容を思い出すのが難しいことや、軽微な作業においては入力漏れが発生することもあったが、これを容易、かつ確実に防止することができる。
【図面の簡単な説明】
【００１７】
【図１】本発明の一実施の形態によるエレベータ作業記録入力システムのブロック構成図である。
【図２】図１に示した遠隔監視装置の処理動作を示すフローチャートである。
【図３】図１に示した監視センタ装置の処理動作を示すフローチャートである。
【図４】図１に示した作業記録入力装置の処理動作を示すフローチャートである。
【図５】図１に示した作業記録入力装置における表示部の正面図である。
【発明を実施するための形態】
【００１８】
以下、本発明の実施の形態を図面に基づいて説明する。
【００１９】
図１は、本発明の一実施の形態によるエレベータ作業記録入力システムのブロック構成図である。
【００２０】
かご１には、ドアを開閉させるドア開閉ボタン２と、行き先を決定する行先階ボタン３と、エレベータの各種操作を行うためのスイッチが格納された操作盤４とが設置されている。操作盤４には、かご１の保守作業を行う際に保守員５によって投入される保守スイッチ４ａと、かご１を停止させる際に投入される停止スイッチ４ｂとが配置されている。
【００２１】
エレベータ制御盤６は、かご１の運転を制御すると共に、遠隔監視装置７にかご１の情報を伝送している。遠隔監視装置７には、かご１にて保守作業が開始された場合、公衆回線網９を経由して接続されている監視センタ装置１０に時間要素と共に作業開始通報と、作業終了時に保守作業に関連したドア開閉ボタン２や行先階ボタン３等の操作記録やかご１の運転状態記録を時間要素と共に操作内容通報とを行う作業内容送信部８が備えられている。
【００２２】
監視センタ装置１０には、受信処理を行うデータ受信装置１１と、受信した作業開始通報を時間要素と共に記憶させる作業開始通報保存装置１２と、保守作業に関連した操作記録やかご１の運転状態記録などの操作データを時間要素と共に記憶する操作データ保存装置１３と、保守作業の完了を判定した後に、営業所１９に設置されている作業記録入力装置２０への出力を行う作業記録入力チェック装置１４と、営業所１９に戻った保守員が作業記録入力装置２０から入力した作業記録を保存させる作業記録保存装置１８とが備えられている。
【００２３】
作業記録入力チェック装置１４は、保守作業の完了信号を判定した後、営業所１９に設置されている作業記録入力装置２０に対して作業記録作成要求の出力を行う入力要求出力部１５と、作業開始通報保存装置１２と操作データ保存装置１３から保守作業に関連した操作データと時間要素を抽出して保守作業員によって作業記録を作成することになる作業記録入力装置２０に出力する操作データ出力部１６と、所定時間を経過しても保守作業員によって作業記録が送信されてこないときに催促する入力要求催促部１７とを備えている。
【００２４】
保守員５が所属する営業所１９には、操作データ出力部１７から送信された保守作業に関連したデータと時間要素とを表示する表示部２１と、入力要求出力部１５から要求信号に基づいて表示部２１に表示させた作業記録入力画面に従って作業記録を入力し送信する作業記録入力装置２０とが備えられている。
【００２５】
通常、保守員５は、保守作業を開始するとき保守スイッチ４ａを投入する。これはドア開閉ボタン２、行先階ボタン３を組み合わせた登録により実施しても良い。これが遠隔監視装置７の保守作業内容送信部８から監視センタ装置１０に送信されると、データ受信装置１１を通して作業開始信号として作業開始通報保存装置１２に記憶される。その後の保守作業に関連したデータは、遠隔監視装置７の保守作業内容送信部８から監視センタ装置１０に送信されると、データ受信装置１１を通して操作データとして操作データ保存装置１３に記憶される。
【００２６】
一方、保守作業が終了すると、保守員５は、保守スイッチ４ａを通常状態に戻す。遠隔監視装置７は、保守スイッチ４ａが通常状態に戻って一定時間経過した場合、作業が終了したと判断し、遠隔監視装置７に保存されている保守作業中の操作データを監視センタ装置１０に送信する。これを受信したデータ受信装置１１は操作データを操作データ保存装置１３へ記憶させ、今回の保守作業におけるデータ収集が完了となる。
【００２７】
保守作業の終了を遠隔監視装置７に判断させる方法は、保守スイッチ４ａの復帰操作に限らず、ドア開閉ボタン２および行先階ボタン３を組み合わせた登録により実施しても良い。
【００２８】
次に、図１に示したエレベータ作業記録入力システムの処理動作を説明する。
【００２９】
図２は、作業の開始および終了を保守スイッチ４ａの切替動作によって判断する場合の遠隔監視装置７の処理を示したフローチャートである。
【００３０】
遠隔監視装置７は、手順Ｓ１において保守スイッチ４ａの切替操作を監視している。投入操作とは保守スイッチ４ａの接点の状態がオフからオンへ切り替えられたことである。保守スイッチ４ａの切替操作を検出した場合、遠隔監視装置７は、手順Ｓ２において保守点検作業による各種スイッチの操作データの記録を開始し、保守点検作業の経過時間を計測するタイマーによる計測を開始する。
【００３１】
次に、遠隔監視装置７は、手順Ｓ３で監視センタ装置１０に対して作業開始の通報を行う。作業開始の通報を終了した後、手順Ｓ１での監視を繰り返し実施する。保守スイッチ４ａの切替操作を未検出の場合、遠隔監視装置７は、手順Ｓ４において操作データの記録中かどうかを判定する。その結果、操作データを記録中では無い場合、手順Ｓ１に戻って監視を繰り返す。しかし、手順Ｓ４における判定結果、操作データを記録中のときは手順Ｓ５でタイマを更新する。
【００３２】
次に、遠隔監視装置７は、手順Ｓ６において保守スイッチ４ａが投入状態かどうかを判定する。その結果、投入中で無い場合、保守点検作業が終了したために、手順Ｓ１で投入された保守スイッチ４ａが解除されたことが検出されるが、保守スイッチ４ａは作業中にＯＮ−ＯＦＦ操作が複数回繰り返されることがあるため、解除されてから、遠隔監視装置７は、手順Ｓ７において第一の時限の経過を監視する。第一の時限が経過していない場合、手順Ｓ１での監視を繰返し実施する。一方、第一の時限が経過していれば、保守スイッチ４ａが解除されたものとして手順Ｓ８において操作データの記録を停止し、手順Ｓ７におけるタイマーの計測を停止する。
【００３３】
次に、遠隔監視装置７は、手順Ｓ９において監視センタ装置１０に記録した操作データの通報処理を実施する。この処理を終了すると、手順Ｓ１での監視を繰り返し実施する。
【００３４】
上述した手順Ｓ６の判定によって保守スイッチ４ａが投入中とされた場合、遠隔監視装置７は、手順Ｓ１０において第二の時限の経過を監視する。このとき判定に使用する第二の時限は、手順Ｓ７で使用した第一の時限よりも長い時間とする。保守スイッチ４ａを投入した状態で長時間経過すると、保守員５が保守作業中に事故などの不測の事態に巻き込まれ、保守スイッチ４ａを投入したまま作業を終了したと判断することができる。第二の時限が経過している場合、遠隔監視装置７は、手順Ｓ８、手順Ｓ９を実施する。手順Ｓ１０の判定で第二の時限が経過していない場合、遠隔監視装置７は、手順Ｓ１の監視を繰り返し実施する。
【００３５】
図３は、監視センター装置１０における処理動作を示すフローチャートである。
【００３６】
遠隔監視センター装置１０の作業入力チェック装置１４は、手順Ｓ１１において、作業開始通報保存装置１２内に保存するために遠隔監視装置７から送信される作業開始通報の受信を監視しており、作業開始通報を受信した場合、作業開始通報保存装置１２内に作業開始通報と時間要素を記憶させる。次いで、作業入力チェック装置１４は、手順Ｓ１２において操作データ保存装置１３内に保存される遠隔監視装置７から監視センタ装置１０に送信される操作データの受信を監視する。
【００３７】
操作データを受信した場合、作業記録入力チェック装置１４の操作データ出力部１７は、手順Ｓ１３において今回の保守作業に関連する操作データおよび時間要素などを抽出し、手順Ｓ１４において入力要求出力部１５からの作業記録入力要求信号と共に、該当するエレベータを担当する営業所１９の作業記録入力装置２０に対して送信する。
【００３８】
その後、作業記録入力チェック装置１４は、手順Ｓ１５において作業記録入力装置２０から入力された作業記録の受信があるかどうかを判定する。手順Ｓ１５の判定で作業記録を受信していない場合、作業記録入力チェック装置１４は、手順Ｓ１６において所定の日数が経過したかどうか確認し、所定の日数が経過していない場合、手順Ｓ１５で作業記録の受信を待つ。所定の日数内で作業記録を受信した場合、作業記録入力チェック装置１４は、手順Ｓ１７でこの作業記録を作業記録保存装置１８に保存した後、手順Ｓ１１に戻って次の作業開始通報の受信待ち状態となる。
【００３９】
一方、手順Ｓ１６において予め設定された所定の日数が経過した場合、入力要求催促部１７は手順Ｓ１４に戻り作業記録入力要求を再送信し、手順Ｓ１５での受信を待つ。
【００４０】
図４は、作業記録入力装置１６における処理動作を示すフローチャートである。
【００４１】
作業記録入力装置２０は、手順Ｓ１８において監視センター装置１０から送信された作業記録入力要求の受信を監視している。手順Ｓ１８でこれを受信すると、作業記録入力装置２０は、手順Ｓ１９で作業記録入力装置２０において作業記録入力画面を表示する。このとき、該当するエレベータの保守点検作業を実施した保守員は、手順Ｓ２０で、監視センタ装置１０における作業記録入力チェック装置１４の操作データ出力部１６から送信されている操作データを表示部２１に表示させたり、印字装置によって操作データをタイプし、これを参照しながら作業記録入力画面を用いて自分が実施した作業内容を入力し、手順Ｓ２１で監視センタ装置１０へ送信する。
【００４２】
図５は、作業記録入力装置２０の画面に表示された操作データの一例を示す表示部２１の正面図である。
【００４３】
時間「１０：００」に保守スイッチ４ａがＯＮされて保守作業開始通報を受信し、その後、時間要素と共に保守作業に関連して種々の操作が行われたことを示し、時間「１０：４０」に保守スイッチ４ａがＯＦＦ状態になったことを示している。営業所１９に戻った後、保守員は、図５に示した表示部２１に表示された操作データを見ながら、作業記録入力画面上に自分が実施した作業内容を入力する。
【００４４】
本発明によるエレベータ作業記録入力システムは、エレベータに接続され前記エレベータの制御信号を受信する遠隔監視装置７と、遠隔監視装置７と遠隔的に接続された監視センタ装置１０とで構成され、エレベータの保守作業内容を記録するエレベータ作業記録入力システムにおいて、遠隔監視装置７に、保守作業時の操作データを収集して監視センタ装置１０に送信する保守作業内容送信部８を設け、監視センタ装置１０に、操作データを記憶する操作データ保存装置１３と、操作データ保存装置１３の操作データを抽出して保守作業を行った保守員によって作業記録を作成するときに使用されることになる作業記録入力装置２０に送信する操作データ出力部１６とを設けたことを特徴とする。
【００４５】
上述したエレベータ作業記録入力システムによれば、エレベータの保守作業の実施後に作業記録を作成するが、営業所１９に配置した作業記録入力装置２０を使用すると共に、遠隔監視装置７に記憶させた操作データを表示部２１などに表示させたりしながら、これを参照して作業記録を作成することができるので、正確に、効率的に作業記録の入力を行うことができる。しかも、従来のように作業した現場で保守員が、作業内容、作業開始時間および作業終了時間等を作業毎に記録する必要がなくなり、集中した保守作業を行うことができるようになる。また時間が限られた作業では、作業中に作業記録を残す時間がなく、作業記録入力システムへの入力時に内容を思い出すのが難しいことや、軽微な作業においては入力漏れが発生することもあったが、これを容易、かつ確実に防止することができる。
【００４６】
また本発明は、上述の構成に加えて、監視センタ装置１０に、操作データ出力部１６からの操作データの送信と共に作業記録の入力を促す作業記録入力要求を送信する入力要求出力部１５を設けたことを特徴とする。
【００４７】
上記構成によれば、営業所１９に戻った保守員は作業記録入力装置２０を見て作業記録の作成を促されるので、作業記録の作成を不必要に遅らすのを防止することができる。
【００４８】
また本発明は、上述の構成に加えて、監視センタ装置１０に、所定時間を経過しても作業記録の送信がないときに、作業記録の入力を促す入力要求催促部１７を設けたことを特徴とする。
【００４９】
上記構成によれば、営業所１９に戻った保守員は作業記録入力装置２０を見て作業記録の作成を促され、途中で作業記録の作成を中断したとしても、入力要求催促部１７から送信されてくる催促要求によって作業記録の完成を不必要に遅らすのを防止することができる。
【００５０】
さらに本発明は、上述の構成に加えて、保守作業内容送信部８は、かご内の保守スイッチ４ａの切替操作があったとき操作データの収集を開始するようにしたことを特徴とする。
【００５１】
上記構成によれば、一般的に保守作業時に操作される保守スイッチ４ａの操作信号に基づいて操作データを収集するため、簡単かつ確実に必要操作データを得ることができる。
【００５２】
さらに本発明は、上述の構成に加えて、保守作業内容送信部８は、操作データを時間要素と共に収集するようにしたことを特徴とする。
【００５３】
上記構成によれば、作業記録を作成する保守員は、営業所１９に配置した作業記録入力装置２０を使用すると共に、遠隔監視装置７に記憶させた操作データおよび時間要素を表示部２１などに表示させたりしながら、これを参照して作業記録を作成することができ、時間の経過と共に自分が行った作業を容易に思い起こすことができ、正確な作業記録を作成することができるようになる。
【符号の説明】
【００５４】
１    かご
４    操作盤
４ａ  保守スイッチ
６    エレベータ制御盤
７    遠隔監視装置
８    保守作業内容送信部
１０  監視センタ装置
１３  操作データ保存装置
１４  作業記録入力チェック装置
１５  入力要求出力部
１７  操作データ出力部
１９  営業所
２０  作業記録入力装置
【図１】
2015178411.tif 000003
【図２】
2015178411.tif 000004
【図３】
2015178411.tif 000005
【図４】
2015178411.tif 000006
【図５】
2015178411.tif 000007